(57)【要約】  本発明は、圧縮ガスを用いた薬剤噴射装置に関する。より詳しくは、本発明は、圧縮ガスを薬剤容器に供給して薬剤容器内の薬剤を排出させる薬剤噴射装置に関する。  本発明は、圧縮ガスが収容された圧縮ガス容器が結合されるケース、前記ケースの内部に備えられ、前記圧縮ガス容器からの前記圧縮ガスの供給を開閉する圧縮ガスゲート、前記圧縮ガスゲートから供給された前記圧縮ガスを伝達する圧縮ガス伝達部、および薬剤容器が結合され、前記圧縮ガス伝達部から供給された前記圧縮ガスを前記薬剤容器の内部に供給して前記圧縮ガスと前記薬剤容器に収容された薬剤の少なくとも一部を薬剤排出部に排出するように前記ケースの一側に形成されるディスペンシングユニットを含む薬剤噴射装置を提供する。【選択図】図１
2020520295.tif 000002
【特許請求の範囲】
【請求項１】
圧縮ガスが収容された圧縮ガス容器が結合されるケース、
前記ケースの内部に備えられ、前記圧縮ガス容器からの前記圧縮ガスの供給を開閉する圧縮ガスゲート、
前記圧縮ガスゲートから供給された前記圧縮ガスを伝達する圧縮ガス伝達部、および
薬剤容器が結合され、前記圧縮ガス伝達部から供給された前記圧縮ガスを前記薬剤容器の内部に供給して前記圧縮ガスと前記薬剤容器に収容された薬剤の少なくとも一部を薬剤排出部に排出するように前記ケースの一側に形成されるディスペンシングユニット
を含む、薬剤噴射装置。
【請求項２】
前記ケースの一部分に形成され、前記圧縮ガス容器を収容するガス容器収容部をさらに含み、
前記ガス容器収容部の端部には収容部キャップが結合することを特徴とする、請求項１に記載の薬剤噴射装置。
【請求項３】
前記収容部キャップは前記ガス容器収容部の端部に結合時に前記圧縮ガス容器の下部面と接触し、
前記圧縮ガス容器は前記収容部キャップの接触により前記圧縮ガスゲートに結合することを特徴とする、請求項２に記載の薬剤噴射装置。
【請求項４】
前記収容部キャップの端部にはキャップフックが備えられ、
前記ガス容器収容部の端部には前記収容部キャップの結合時に前記キャップフックを固定させる収容部フックが備えられることを特徴とする、請求項２に記載の薬剤噴射装置。
【請求項５】
前記圧縮ガスゲートの容器結合面から延長形成されるガス流入ピンをさらに含み、
前記ガス流入ピンは、中心部に前記圧縮ガスが供給される流入路を含み、前記圧縮ガス容器のガス容器栓と接触して前記ガス容器栓を貫通することを特徴とする、請求項１に記載の薬剤噴射装置。
【請求項６】
前記圧縮ガスゲートの容器結合面と前記圧縮ガス容器のガス容器栓との間に配置される流出防止シーリングをさらに含み、
前記流出防止シーリングは圧縮ガスが前記圧縮ガスゲートに供給される時に外部に流出しないようにすることを特徴とする、請求項１に記載の薬剤噴射装置。
【請求項７】
前記圧縮ガスゲートは、前記ケースの外部に露出する押しボタン、前記圧縮ガスゲートの内部に形成される圧縮ガス通路、および前記押しボタンと連結され、前記圧縮ガス通路を横切る開閉ロッドをさらに含み、
前記押しボタンの加圧により前記開閉ロッドが移動して前記圧縮ガス通路を開閉することを特徴とする、請求項１に記載の薬剤噴射装置。
【請求項８】
前記開閉ロッドは、前記開閉ロッドの側面の一部を囲む少なくとも一つの開閉シーリングをさらに含むことを特徴とする、請求項７に記載の薬剤噴射装置。
【請求項９】
前記開閉ロッドの移動距離を制限する調節部をさらに含むことを特徴とする、請求項７に記載の薬剤噴射装置。
【請求項１０】
前記調節部は、前記開閉ロッドと接触することによって前記開閉ロッドの移動距離を制限する調節ロッドをさらに含むことを特徴とする、請求項９に記載の薬剤噴射装置。
【請求項１１】
前記調節ロッドは一端部に階段型の形態を有する複数のストッパを備え、
前記開閉ロッドは前記複数のストッパのうちいずれか一つと接触して移動距離が制限されることを特徴とする、請求項１０に記載の薬剤噴射装置。
【請求項１２】
前記調節部は、前記調節ロッドと接触する調節カム、および前記調節カムと回転軸によって連結され、前記ケースの外部に露出する回転ダイヤルをさらに含むことを特徴とする、請求項１０または１１に記載の薬剤噴射装置。
【請求項１３】
前記調節部は、前記調節カムおよび前記回転ダイヤルの間に位置し、複数の識別表示を備える識別板をさらに含み、
前記回転ダイヤルは、回転動作により前記複数の識別表示のうちの一つを外部に露出させるウィンドウを備えることを特徴とする、請求項１２に記載の薬剤噴射装置。
【請求項１４】
前記ディスペンシングユニットの一部分から上部方向に延長形成され、前記薬剤容器と連結される薬剤容器連結部がさらに含まれることを特徴とする、請求項１に記載の薬剤噴射装置。
【請求項１５】
内側面が前記薬剤容器連結部および薬剤容器ネック部の外側面と結合して前記薬剤容器を固定させるジョイントをさらに含み、
前記ジョイントの形態は前記薬剤容器連結部および前記薬剤容器ネック部の形態に応じて形成されることを特徴とする、請求項１４に記載の薬剤噴射装置。
【請求項１６】
前記ディスペンシングユニットは、前記ケースに脱／付着可能に結合されることを特徴とする、請求項１に記載の薬剤噴射装置。
【請求項１７】
薬剤排出部および薬剤容器連結部の形態が各々異なる複数の前記ディスペンシングユニットのうちの一つを選択して前記ケースに結合することを特徴とする、請求項１６に記載の薬剤噴射装置。
【請求項１８】
前記ディスペンシングユニットは回転方式の回転調節装置を備え、
前記回転調節装置は回転動作に応じて前記薬剤が排出される量を調節することを特徴とする、請求項１に記載の薬剤噴射装置。
【発明の詳細な説明】
【技術分野】
【０００１】
本発明は、圧縮ガスを用いた薬剤噴射装置に関する。より詳しくは、本発明は、圧縮ガスを薬剤容器に供給して薬剤容器内の薬剤を排出させる薬剤噴射装置に関する。
【背景技術】
【０００２】
従来技術に係る薬剤噴射装置は、医療分野で用いられるものであって、薬剤を身体部位に噴射するために用いられる。一例として、手術部位や患部に薬剤を塗布するための薬剤噴射装置がある。
【０００３】
薬剤噴射装置と関連して、大韓民国公開特許第１０−２０１３−００６０５８９号（２０１３年０６月１０日付け公開）には、薬剤収容空間の薬剤を空気ポンプを用いて外部に排出する薬剤噴射装置が開示されている。
【０００４】
また、大韓民国公開特許第１０−２０１２−０１３５０１２号（２０１２年１２月１２日付け公開）には、制御パネルの制御により圧縮空気を生産する圧縮器を備えて薬剤を傷部位に塗布する医療用薬剤噴射装置が開示されている。
【０００５】
ところで、従来の薬剤噴射装置は、薬剤排出口から排出される薬剤の量を正確に調節できないという問題がある。また、従来の薬剤噴射装置は、薬剤が排出される形態を容易に変更できないという問題がある。さらに、従来の薬剤噴射装置は、電源の供給によって作動する圧縮器を用いなければならないため、構成が複雑であり、製造単価が増加するという問題がある。
【発明の概要】
【発明が解決しようとする課題】
【０００６】
本発明は、排出部を通して噴射される薬剤の量を正確に調節できる薬剤噴射装置を提供することを目的とする。
【０００７】
また、ディスペンシングユニットを脱／付着可能にすることによって薬剤の噴射形態を変更できる薬剤噴射装置を提供することを目的とする。
【０００８】
なお、圧縮ガス容器から供給される圧縮ガスの圧力を用いて薬剤を排出することによって、別途の動力を必要としない薬剤噴射装置を提供することを目的とする。
【課題を解決するための手段】
【０００９】
本発明は、圧縮ガスが収容された圧縮ガス容器が結合されるケース、前記ケースの内部に備えられ、前記圧縮ガス容器からの前記圧縮ガスの供給を開閉する圧縮ガスゲート、前記圧縮ガスゲートから供給された前記圧縮ガスを伝達する圧縮ガス伝達部、および薬剤容器が結合され、前記圧縮ガス伝達部から供給された前記圧縮ガスを前記薬剤容器の内部に供給して前記圧縮ガスと前記薬剤容器に収容された薬剤の少なくとも一部を薬剤排出部に排出するように前記ケースの一側に形成されるディスペンシングユニットを含む薬剤噴射装置を提供する。
【００１０】
また、前記ケースの一部分に形成され、前記圧縮ガス容器を収容するガス容器収容部をさらに含み、前記ガス容器収容部の端部には収容部キャップが結合してもよい。
【００１１】
なお、前記収容部キャップは前記ガス容器収容部の端部に結合時に前記圧縮ガス容器の下部面と接触し、前記圧縮ガス容器は前記収容部キャップの接触により前記圧縮ガスゲートに結合してもよい。
【００１２】
また、前記収容部キャップの端部にはキャップフックが備えられ、前記ガス容器収容部の端部には前記収容部キャップの結合時に前記キャップフックを固定させる収容部フックが備えられてもよい。
【００１３】
なお、前記圧縮ガスゲートの容器結合面から延長形成されるガス流入ピンをさらに含み、前記ガス流入ピンは、中心部に前記圧縮ガスが供給される流入路を含み、前記圧縮ガス容器のガス容器栓と接触して前記ガス容器栓を貫通してもよい。
【００１４】
また、前記圧縮ガスゲートの容器結合面と前記圧縮ガス容器のガス容器栓との間に配置される流出防止シーリングをさらに含み、前記流出防止シーリングは圧縮ガスが前記圧縮ガスゲートに供給される時に外部に流出しないようにしてもよい。
【００１５】
なお、前記圧縮ガスゲートは、前記ケースの外部に露出する押しボタン、前記圧縮ガスゲートの内部に形成される圧縮ガス通路、および前記押しボタンと連結され、前記圧縮ガス通路を横切る開閉ロッドをさらに含み、前記押しボタンの加圧により前記開閉ロッドが移動して前記圧縮ガス通路を開閉してもよい。
【００１６】
また、前記開閉ロッドは、前記開閉ロッドの側面の一部を囲む少なくとも一つの開閉シーリングをさらに含んでもよい。
【００１７】
なお、前記開閉ロッドの移動距離を制限する調節部をさらに含んでもよい。
【００１８】
また、前記調節部は、前記開閉ロッドと接触することによって前記開閉ロッドの移動距離を制限する調節ロッドをさらに含んでもよい。
【００１９】
なお、前記調節ロッドは一端部に階段型の形態を有する複数のストッパを備え、前記開閉ロッドは前記複数のストッパのうちいずれか一つと接触して移動距離が制限されてもよい。
【００２０】
また、前記調節部は、前記調節ロッドと接触する調節カム、および前記調節カムと回転軸によって連結され、前記ケースの外部に露出する回転ダイヤルをさらに含んでもよい。
【００２１】
なお、前記調節部は、前記調節カムおよび前記回転ダイヤルの間に位置し、複数の識別表示を備える識別板をさらに含み、前記回転ダイヤルは、回転動作により前記複数の識別表示のうちの一つを外部に露出させるウィンドウを備えてもよい。
【００２２】
また、前記ディスペンシングユニットの一部分から上部方向に延長形成され、前記薬剤容器と連結される薬剤容器連結部がさらに含まれてもよい。
【００２３】
なお、内側面が前記薬剤容器連結部および薬剤容器ネック部の外側面と結合して前記薬剤容器を固定させるジョイントをさらに含み、前記ジョイントの形態は前記薬剤容器連結部および前記薬剤容器ネック部の形態に応じて形成されてもよい。
【００２４】
また、前記ディスペンシングユニットは、前記ケースに脱／付着可能に結合されてもよい。
【００２５】
なお、薬剤排出部および薬剤容器連結部の形態が各々異なる複数の前記ディスペンシングユニットのうちの一つを選択して前記ケースに結合してもよい。
【００２６】
また、前記ディスペンシングユニットは回転方式の回転調節装置を備え、前記回転調節装置は回転動作に応じて前記薬剤が排出される量を調節してもよい。
【発明の効果】
【００２７】
本発明は、圧縮ガスゲートの動作を制御する調節部を備え、それにより、薬剤排出部を通して噴射される薬剤の量を正確に調節できるという効果がある。
【００２８】
また、ディスペンシングユニットを脱／付着可能にすることによって種々のディスペンシングユニットを用いて様々な形態の薬剤噴射ができるという効果がある。
【００２９】
なお、他動作の必要無しに圧縮ガス容器がケースに結合して圧縮ガスが圧縮ガスゲートに供給されるので別途の動力を要しないという効果がある。
【図面の簡単な説明】
【００３０】
【図１】本発明の第１実施形態による薬剤噴射装置の斜視図である。
【図２】本発明の第１実施形態による薬剤噴射装置の分解斜視図である。
【図３】本発明の第１実施形態による薬剤噴射装置において、圧縮ガス容器の結合を説明する図である。
【図４】本発明の第１実施形態による薬剤噴射装置において、圧縮ガスゲートおよび調節部を説明する図である。
【図５】本発明の第１実施形態による薬剤噴射装置において、圧縮ガスゲートおよび調節部を説明する分解斜視図である。
【図６ａ】本発明の第１実施形態による薬剤噴射装置において、回転ダイヤルの回転に応じた圧縮ガスゲートの動作を説明する図である。
【図６ｂ】本発明の第１実施形態による薬剤噴射装置において、回転ダイヤルの回転に応じた圧縮ガスゲートの動作を説明する図である。
【図６ｃ】本発明の第１実施形態による薬剤噴射装置において、回転ダイヤルの回転に応じた圧縮ガスゲートの動作を説明する図である。
【図６ｄ】本発明の第１実施形態による薬剤噴射装置において、回転ダイヤルの回転に応じた圧縮ガスゲートの動作を説明する図である。
【図７】本発明の第１実施形態による薬剤噴射装置において、ディスペンシングユニットを説明する断面図である。
【図８】本発明の第２実施形態による薬剤噴射装置の斜視図である。
【図９】本発明の第２実施形態による薬剤噴射装置の断面図である。
【発明を実施するための形態】
【００３１】
以下では、本発明の好ましい実施形態について添付図面を参照して詳しく説明する。先ず、各図面の構成要素に参照符号を付する際、同一の構成要素に対しては、他の図面上に示すときにも可能な限り同一の符号を付するようにしていることに留意しなければならない。また、本発明を説明するにおいて、関連の公知の構成または機能に関する具体的な説明が本発明の要旨を不要に濁す恐れがあると判断される場合にはその詳細な説明は省略する。また、以下では本発明の好ましい実施形態について説明するが、本発明の技術的思想はこれに限定または制限されるものではなく、当業者により変形されて多様に実施できることは勿論である。
【００３２】
図１は、本発明の第１実施形態による薬剤噴射装置の斜視図であり、図２は、本発明の第１実施形態による薬剤噴射装置の分解斜視図である。
【００３３】
図１および図２に示すように、本発明の第１実施形態による薬剤噴射装置１００は、ケース１１０、圧縮ガスゲート１２０、圧縮ガス伝達部１４０およびディスペンシングユニット１６０を含む。前記ケース１１０には、圧縮ガス容器１３１を収容するためのガス容器収容部１３０が形成される。
【００３４】
ケース１１０の内部には圧縮ガスゲート１２０および圧縮ガス伝達部１４０が備えられ、ケース１１０の一側にガス容器収容部１３０が形成される。薬剤容器１６３と連結されるディスペンシングユニット１６０はケース１１０の他側から結合される。
【００３５】
ガス容器収容部１３０に収容される圧縮ガス容器１３１は圧縮ガスゲート１２０に結合され、圧縮ガスゲート１２０は圧縮ガス伝達部１４０と連結され、圧縮ガス伝達部１４０はディスペンシングユニット１６０と連結される。
【００３６】
薬剤噴射装置１００の作動状態について説明すれば以下のとおりである。
【００３７】
圧縮ガス容器１３１内にある圧縮ガスは、圧縮ガスゲート１２０の内部に供給される。圧縮ガスゲート１２０は、圧縮ガスゲート１２０の内部に供給された圧縮ガスの圧縮ガス伝達部１４０に向かった供給有無を決定する。圧縮ガスゲート１２０が圧縮ガス伝達部１４０に圧縮ガスを供給すれば、圧縮ガス伝達部１４０は圧縮ガスをディスペンシングユニット１６０に供給する。ディスペンシングユニット１６０は供給された圧縮ガスを薬剤容器１６３に供給し、供給された圧縮ガスによって内部圧力が高くなった薬剤容器１６３は薬剤と圧縮ガスを薬剤排出部１６８に排出する。
【００３８】
ケース１１０は薬剤噴射装置１００の外形をなし、他の構成要素がケース１１０に内蔵または結合される。
【００３９】
ケース１１０には、ガス容器収容部１３０、取っ手部１１１および保護ユニット１１２が形成される。
【００４０】
取っ手部１１１は、片手で握ることができ、外部に押しボタン１２３が露出するように構成される。保護ユニット１１２は、取っ手部１１１を囲む構造からなり、取っ手部１１１を保護して押しボタン１２３が外部物体によって押されるのを防止する。ガス容器収容部１３０は、取っ手部１１１の下部に形成される。
【００４１】
ケース１１０は、成形し易く、重さの軽いプラスチック材質からなることができる。
【００４２】
圧縮ガス伝達部１４０は、ケース１１０の内部に配置され、伝達ホース１４４およびノズル１４２を含むことができる。伝達ホース１４４は圧縮ガスゲート１２０の上部およびノズル１４２と連結され、ノズル１４２はディスペンシングユニット１６０およびコネクタ１６６と結合する。
【００４３】
圧縮ガス伝達部１４０は、圧縮ガスゲート１２０から供給された圧縮ガスをディスペンシングユニット１６０に供給する。伝達ホース１４４は、シリコン材質のホースからなることができる。
【００４４】
図３は、本発明の第１実施形態による薬剤噴射装置において、圧縮ガス容器の結合を説明する図である。
【００４５】
図３を参照して、ガス容器収容部１３０および圧縮ガス容器１３１の結合について説明する。
【００４６】
ガス容器収容部１３０には圧縮ガス容器１３１が入る空間が形成され、下部に開放された端部が形成される。また、ガス容器収容部１３０は、収容部キャップ１３２を含むことができる。
【００４７】
ガス容器収容部１３０は、圧縮ガス容器１３１が入る空間および開放された端部を備え、圧縮ガス容器１３１の収容および排出が可能である。
【００４８】
ガス容器収容部１３０の開放された端部には、収容部キャップ１３２が結合することができる。収容部キャップ１３２は、ガス容器収容部１３０の開放された端部を開放および閉鎖することができる。
【００４９】
一つの実施形態において、前記ガス容器収容部１３０は円筒形であってもよい。収容部キャップ１３２は、回転動作によって前記ガス容器収容部１３０の端部に結合できる。
【００５０】
ガス容器収容部１３０と収容部キャップ１３２は、ネジ結合が可能となるように構成され、回転動作による結合に好適である。
【００５１】
ガス容器収容部１３０の長さは、圧縮ガス容器１３１に対応して形成される。ガス容器収容部１３０に収容部キャップ１３２が結合されれば、収容部キャップ１３２は圧縮ガス容器１３１の下部面と接触して圧縮ガス容器１３１を押し上げ、それにより、圧縮ガス容器１３１は圧縮ガスゲート１２０と結合される。それにより、収容部キャップ１３２をガス容器収容部１３０に結合する動作によって圧縮ガス容器１３１を結合させることができる。ガス容器収容部１３０の長さは、圧縮ガスゲート１２０の容器結合面１２９から収容部キャップ１３２が圧縮ガス容器１３１と接触する部分までの長さに対応するように形成される。
【００５２】
収容部キャップ１３２の端部にはキャップフック１３４が備えられ、前記ガス容器収容部１３０の端部には前記収容部キャップ１３２の結合時に前記キャップフック１３４と結合する収容部フック１３６が備えられる。
【００５３】
キャップフック１３４は収容部キャップ１３２の開口部に形成され、収容部フック１３６は収容部キャップ１３２がガス容器収容部１３０との結合を完了した時にキャップフック１３４の下端と接触するように形成される。
【００５４】
収容部キャップ１３２がガス容器収容部１３０との結合を完了する時、キャップフック１３４は、収容部フック１３６の側面から延びたフック突起１３６ａを越えて収容部フック１３６と結合する。収容部キャップ１３２がガス容器収容部１３０との結合を解除する時、キャップフック１３４は、フック突起１３６ａを越えてこそ、解除動作が始まる。
【００５５】
上記のような構造により、収容部キャップ１３２の結合完了をよく認識できる効果が発生し、収容部キャップ１３２の結合が容易に解除されないという効果が発生する。
【００５６】
圧縮ガスゲート１２０の一側には容器結合面１２９が形成され、ガス流入ピン１２１は容器結合面１２９から圧縮ガス容器１３１に向かって延長形成される。
【００５７】
圧縮ガス容器１３１が容器結合面１２９に結合すれば、ガス流入ピン１２１は、圧縮ガス容器１３１のガス容器栓１３１ａと接触してガス容器栓１３１ａを貫通する。圧縮ガス容器１３１のガス容器栓１３１ａは容器結合面１２９と圧縮ガス容器１３１が結合される前には閉鎖された状態であるが、容器結合面１２９と圧縮ガス容器１３１が結合することによりガス流入ピン１２１と圧縮ガス容器１３１のガス容器栓１３１ａが接触するようになり、接触により圧縮ガス容器１３１のガス容器栓１３１ａは破砕されて開放される。
【００５８】
ガス流入ピン１２１には、中心部に圧縮ガスが供給される流入路１２１ａが形成される。圧縮ガス容器１３１内の圧縮ガスは、ガス容器栓１３１ａを貫通したガス流入ピン１２１の流入路１２１ａを通して圧縮ガスゲート１２０の圧縮ガス通路１２８に供給される。
【００５９】
ガス流入ピン１２１は、圧縮ガス容器１３１のガス容器栓１３１ａを破砕しやすい形態を有することができる。例えば、ガス流入ピン１２１は円錐の形態を有してもよい。
【００６０】
圧縮ガス容器１３１のガス容器栓１３１ａは、ガス流入ピン１２１との接触によって破砕され易い材質からなることができる。
【００６１】
容器結合面１２９と圧縮ガス容器１３１のガス容器栓１３１ａとの間には流出防止シーリング１２２が配置される。流出防止シーリング１２２は、圧縮ガスが前記圧縮ガスゲート１２０の圧縮ガス通路１２８に供給される時に外部に流出しないようにする。
【００６２】
ガス流入ピン１２１と接触して圧縮ガス容器１３１のガス容器栓１３１ａが破砕されれば、圧縮ガス容器１３１内の圧縮ガスは、ガス流入ピン１２１の流入路１２１ａに流入するだけでなく、ガス流入ピン１２１とガス容器栓１３１ａとの間の空間に流出しうる。
【００６３】
流出防止シーリング１２２は、ガス流入ピン１２１を囲む輪状を有し、容器結合面１２９と圧縮ガス容器１３１のガス容器栓１３１ａとの間の空間に隙間無しに形成されて、ガス流入ピン１２１とガス容器栓１３１ａとの間の空間に流出した圧縮ガスが外部に流出しないようにする。
【００６４】
流出防止シーリング１２２は、弾性力の大きい材質からなることができ、圧縮ガスゲート１２０と圧縮ガス容器１３１が結合する時に弾性変形が起こることができる。
【００６５】
図４は、本発明の第１実施形態による薬剤噴射装置において、圧縮ガスゲートおよび調節部を説明する図であり、図５は、本発明の第１実施形態による薬剤噴射装置において、圧縮ガスゲートおよび調節部を説明する分解斜視図である。また、図６は、本発明の第１実施形態による薬剤噴射装置において、回転ダイヤルの回転に応じた圧縮ガスゲートの動作を説明する図である。
【００６６】
図４〜図６を参照して、圧縮ガスゲート１２０および調節部１５０について説明する。
【００６７】
一つの実施形態において、圧縮ガスゲート１２０は、圧縮ガス通路１２８、開閉ロッド１２４、押しボタン１２３および容器結合面１２９を含む。
【００６８】
圧縮ガス通路１２８は、圧縮ガスゲート１２０の内部に形成される。圧縮ガス通路１２８は、下部でガス流入ピン１２１の流入路１２１ａと連結され、上部で圧縮ガス伝達部１４０と連結される。ガス流入ピン１２１の流入路１２１ａから供給された圧縮ガスは、圧縮ガス通路１２８を経て圧縮ガス伝達部１４０に供給される。
【００６９】
圧縮ガス通路１２８は、ロッド配置部１２５によって横切られる。ロッド配置部１２５によって横切られる部分を境界に上部および下部圧縮ガス通路１２８ｂ、１２８ａに区分することができる。
【００７０】
一つの実施形態において、圧縮ガス通路１２８は、ロッド配置部１２５と連結される部分で狭くなるように形成される。圧縮ガス通路１２８が狭くなる構造は、圧縮ガスゲート１２０が開閉ロッド１２４を移動させつつ、上部および下部の圧縮ガス通路１２８ｂ、１２８ａが連通するかまたは連通しないようにするのに効果的である。
【００７１】
ロッド配置部１２５は、開閉ロッド１２４を収容できる空間である。ロッド配置部１２５は上部および下部圧縮ガス通路１２８ｂ、１２８ａを連結する連結通路１２５ａを備え、連結通路１２５ａの開閉に応じて下部圧縮ガス通路１２８ａに流入した圧縮ガスの上部圧縮ガス通路１２８ａへの伝達有無が決定される。
【００７２】
押しボタン１２３は、ケース１１０の外部に露出し、片手でケース１１０の取っ手部１１１を握った時、指で押し易い位置に配置される。例えば、押しボタン１２３は、ケース１１０の取っ手部１１１の側面または上部に配置される。
【００７３】
押しボタン１２３は、一つの指で圧力を加えられる大きさに形成できる。押しボタン１２３は開閉ロッド１２４と連結され、押しボタン１２３を加圧して開閉ロッド１２４を移動させることができる。
【００７４】
開閉ロッド１２４は、ロッド配置部１２５内に配置される。一つの実施形態において、開閉ロッド１２４には遮断部１２４ａおよび通過部１２４ｂが形成され、開閉スプリング１２４ｃおよび開閉シーリング１２４ｄが備えられることができる。
【００７５】
下部圧縮ガス通路１２８ａに流入した圧縮ガスが上部圧縮ガス通路１２８ｂに伝達されるためには上部および下部圧縮ガス通路１２８ｂ、１２８ａと連結されるロッド配置部１２５内の連結通路１２５ａを通過しなければならず、開閉ロッド１２４の遮断部１２４ａは連結通路１２５ａを遮断して圧縮ガスが通過しないようにすることができ、開閉ロッド１２４の通過部１２４ｂは連結通路１２５ａを遮断せずに圧縮ガスが通過するようにすることができる。
【００７６】
開閉ロッド１２４は押しボタン１２３の加圧により移動することができるため、押しボタン１２３の加圧により連結通路１２５ａに開閉ロッド１２４の遮断部１２４ａが位置すれば、圧縮ガスが通過することができず、連結通路１２５ａに開閉ロッド１２４の通過部１２４ｂが位置すれば、圧縮ガスが通過するようになる。
【００７７】
連結通路１２５ａに開閉ロッド１２４の遮断部１２４ａの一部および通過部１２４ｂの一部が位置すれば、圧縮ガスは、連結通路１２５ａが遮断された程度に応じて通過する量が変わる。
【００７８】
開閉ロッド１２４の遮断部１２４ａは、開閉ロッド１２４の外周面を囲む少なくとも一つの開閉シーリング１２４ｄを備える。開閉シーリング１２４ｄはＯ−リング（Ｏ−ｒｉｎｇ）形状であってもよい。
【００７９】
開閉スプリング１２４ｃは、開閉ロッド１２４を弾性支持するように備えられる。押しボタン１２３の加圧により開閉ロッド１２４が移動すれば開閉スプリング１２４ｃが圧縮され、加圧が解除されれば開閉スプリング１２４ｃが回復されて、押しボタン１２３および開閉ロッド１２４の位置が加圧前の状態に戻る。
【００８０】
調節部１５０は、回転ダイヤル１５１、調節カム１５２および調節ロッド１５７を含む。
【００８１】
開閉ロッド１２４は押しボタン１２３の加圧により移動し、押しボタン１２３の反対側で開閉ロッド１２４と接触する部分によって最大移動距離が制限され、調節部１５０は開閉ロッド１２４の最大移動距離を調節することができる。
【００８２】
調節ロッド１５７は長さ方向に移動可能であり、移動により調節ロッド１５７の少なくとも一部が開閉ロッド１２４と接触するかまたは接触しない。調節ロッド１５７と接触すれば、開閉ロッド１２４の最大移動距離は小さくなる。
【００８３】
調節ロッド１５７は開閉ロッド１２４の最大移動距離を調節しつつ押しボタン１２３を最大に加圧した時の開閉ロッド１２４の位置を調節することができ、それにより、圧縮ガスが連結通路１２５ａを通過する量を決定することができる。
【００８４】
調節ロッド１５７は調節スプリング１５６を備える。調節スプリング１５６は、調節ロッド１５７に加えられる外力により圧縮され、外力がなくなれば回復する。調節スプリング１５６は、外力がなくなれば、調節ロッド１５７の位置を外力が加えられる以前の状態に戻す。
【００８５】
調節ロッド１５７は、開閉ロッド１２４と接触する一端部に複数のストッパ１５５ａ、１５５ｂ、１５５ｃを備える。
【００８６】
複数のストッパ１５５ａ、１５５ｂ、１５５ｃは階段型の形態で配置され、開閉ロッド１２４は複数のストッパ１５５ａ、１５５ｂ、１５５ｃのうちの一つと接触することができる。
【００８７】
複数のストッパ１５５ａ、１５５ｂ、１５５ｃは、各々開閉ロッド１２４と接触する位置が異なるように構成される。よって、接触するストッパ１５５ａ、１５５ｂ、１５５ｃを異にすれば、開閉ロッド１２４の最大移動距離は異なるようになる。
【００８８】
調節ロッド１５７は長さ方向に移動しつつ開閉ロッド１２４と接触するストッパ１５５ａ、１５５ｂ、１５５ｃを変更することができ、開閉ロッド１２４が接触するストッパ１５５ａ、１５５ｂ、１５５ｃに応じて開閉ロッド１２４の遮断部１２４ａが連結通路１２５ａを遮る面積が異なるようになる。よって、ストッパ１５５ａ、１５５ｂ、１５５ｃの配置に応じて連結通路１２５ａを通過する圧縮ガスの量を調節することができる。
【００８９】
一つの実施形態において、調節カム１５２は、調節ロッド１５７の端部と接触し、回転軸１５４によって回転ダイヤル１５１と連結される。
【００９０】
調節カム１５２は調節ロッド１５７と接触する高さが異なる複数のカム面１５２ａ、１５２ｂ、１５２ｃ、１５２ｄを備え、外部に露出した回転ダイヤル１５１を回転させれば、調節カム１５２も回転するようになる。調節カム１５２が回転すれば、調節ロッド１５７と接触するカム面１５２ａ、１５２ｂ、１５２ｃ、１５２ｄの高さに応じて調節ロッド１５７の位置が変更される。
【００９１】
調節カム１５２の回転に応じて位置が変更される調節ロッド１５７は開閉ロッド１２４と接触しなくてもよく、開閉ロッド１２４と接触するストッパ１５５ａ、１５５ｂ、１５５ｃを異にしてもよい。
【００９２】
回転ダイヤル１５１は、ケース１１０の外部に露出し、使用者が回転させることができる。
【００９３】
図６に示すように、使用者が回転ダイヤル１５１を回転させれば、調節カム１５２が回転して調節ロッド１５７の位置が変更され、開閉ロッド１２４の最大移動距離が変更されて連通する圧縮ガスの量が調節される。
【００９４】
回転ダイヤル１５１は、識別表示１５３ａ、１５３ｂ、１５３ｃ、１５３ｄを外部に露出させるウィンドウ１５１ａを備える。使用者は、ウィンドウ１５１ａを介して、識別表示１５３ａ、１５３ｂ、１５３ｃ、１５３ｄを認識することができる。
【００９５】
回転ダイヤル１５１は、上面に少なくとも一つの係止部１５１ｂを備える。使用者は、係止部１５１ｂに力を加えて回転ダイヤル１５１を回転させることができる。係止部１５１ｂは、回転ダイヤル１５１をより容易に回転できるようにするという効果がある。
【００９６】
識別板１５３は、調節カム１５２と回転ダイヤル１５１との間に位置し、ケース１１０に固定された状態で備えられる。
【００９７】
識別板１５３は、上面に複数の識別表示１５３ａ、１５３ｂ、１５３ｃ、１５３ｄを備える。識別表示１５３ａ、１５３ｂ、１５３ｃ、１５３ｄは、圧縮ガスゲート１２０を通過する圧縮ガスの量を表示した文字または図形であってもよい。回転ダイヤル１５１を回転させて特定の識別表示１５３ａ、１５３ｂ、１５３ｃ、１５３ｄが外部に露出するようにすれば、露出した識別表示１５３ａ、１５３ｂ、１５３ｃ、１５３ｄに対応する量の圧縮ガスが圧縮ガスゲート１２０を通過するように構成される。
【００９８】
例えば、図６ａ に示すように、識別表示１５３ａ、１５３ｂ、１５３ｃ、１５３ｄのうち「Ｌｏｃｋ」がウィンドウ１５１ａを介して露出すれば、調節ロッド１５７は第１カム面１５２ａと接触し、開閉ロッド１２４は第１ストッパ１５５ａによって最大移動距離が制限されて、押しボタン１２３を加圧しても開閉シーリング１２４ｄが連結通路１２５ａを遮断する。よって、下部圧縮ガス通路１２８ａに供給された圧縮ガスは連結通路１２５ａを通過することができない。
【００９９】
また、図６ｂに示すように、識別表示１５３ａ、１５３ｂ、１５３ｃ、１５３ｄのうち「ＬＶ．１」がウィンドウ１５１ａを介して露出すれば、調節ロッド１５７は第２カム面１５２ｂと接触し、開閉ロッド１２４は第２ストッパ１５５ｂによって最大移動距離が制限されて、押しボタン１２３を加圧すれば、開閉シーリング１２４ｄが連結通路１２５ａの一部だけを遮断する。連結通路１２５ａの一部は遮断された状態であるため、下部圧縮ガス通路１２８ａに供給された圧縮ガスが連結通路１２５ａを通過する量は、連結通路１２５ａが全く遮断されていない場合より少なくなる。
【０１００】
また、図６ｄに示すように、識別表示１５３ａ、１５３ｂ、１５３ｃ、１５３ｄのうち「ＬＶ．３」がウィンドウ１５１ａを介して露出すれば、調節ロッド１５７は第４カム面１５２ｄと接触し、開閉ロッド１２４はストッパ１５５ａ、１５５ｂ、１５５ｃによって最大移動距離が制限されないため、押しボタン１２３を加圧すれば、開閉シーリング１２４ｄが連結通路１２５ａを全く遮断しない。連結通路１２５ａは全く遮断されていない状態であるため、下部圧縮ガス通路１２８ａに供給された圧縮ガスが連結通路１２５ａを通過する量は最大となる。
【０１０１】
使用者は、露出した識別表示１５３ａ、１５３ｂ、１５３ｃ、１５３ｄに応じて通過する圧縮ガスの量を認識することができる。
【０１０２】
図７は、本発明の第１実施形態による薬剤噴射装置において、ディスペンシングユニットを説明する断面図である。
【０１０３】
図７を参照して、ディスペンシングユニット１６０について説明する。
【０１０４】
ディスペンシングユニット１６０は、ケース１１０に結合され、圧縮ガス伝達部１４０と連結される。
【０１０５】
ディスペンシングユニット１６０は、ケース連結部１６７、薬剤容器連結部１６４および薬剤排出部１６８を含む。
【０１０６】
ケース連結部１６７は、ノズル１４２と結合し、ケース１１０と連結されることができる。ケース連結部１６７は、ケース連結路１６７ａを備え、ノズル１４２から供給される圧縮ガスを第１薬剤容器連結路１６４ａに伝達する。第１薬剤容器連結路１６４ａは伝達された圧縮ガスを薬剤容器１６３の内部に供給し、薬剤容器１６３内で混合された薬剤と圧縮ガスは第２薬剤容器連結路１６４ｂを通して薬剤排出部１６８に排出される。
【０１０７】
薬剤容器連結部１６４は、ディスペンシングユニット１６０の一部分から上部方向に延長形成されることができ、薬剤容器ネック部１６３ａと接触することができる。薬剤容器ネック部１６３ａは薬剤容器１６３の下部に形成され、薬剤排出がさらに容易になる。
【０１０８】
ディスペンシングユニット１６０には、内側面が薬剤容器連結部１６４および薬剤容器ネック部１６３ａの外側面と結合して薬剤容器１６３を固定させるジョイント１６２がさらに含まれることができる。
【０１０９】
ジョイント１６２は、薬剤容器連結部１６４および薬剤容器ネック部１６３ａと結合して、薬剤容器１６３が薬剤容器連結部１６４と連結された状態を保持するように固定させる。ジョイント１６２は、薬剤容器連結部１６４および薬剤容器ネック部１６３ａの形態に応じて様々な形態を有することができる。よって、薬剤容器連結部１６４と薬剤容器１６３の薬剤容器ネック部１６３ａの形態を自由に構成しつつも、ジョイント１６２の形態を変更して薬剤容器連結部１６４と薬剤容器１６３を結合することができる。
【０１１０】
ディスペンシングユニット１６０のケース連結部１６７はノズル１４２に脱／付着可能に挿入され、ディスペンシングユニット１６０がケース１１０に固定される。
【０１１１】
ケース連結部１６７がノズル１４２に脱／付着可能になることにより、各々異なる形態を有する複数のディスペンシングユニット１６０のうちの一つを選択的にケース１１０に連結することができる。よって、薬剤噴射装置１００の全体を変更する必要がなく、ディスペンシングユニット１６０のみを変更して薬剤排出部１６８および薬剤容器連結部１６４の形態を変更することができる。それにより、薬剤が排出される形態または結合可能な薬剤容器１６３を変更することができる。
【０１１２】
図８は、本発明の第２実施形態による薬剤噴射装置の斜視図であり、図９は、本発明の第２実施形態による薬剤噴射装置の断面図である。
【０１１３】
図８および図９を参照して、薬剤噴射装置２００の第２実施形態について説明する。
【０１１４】
言及されるものを除いては、前記薬剤噴射装置２００は、図１、図２の薬剤噴射装置１００と類似したものである。
【０１１５】
第２実施形態の薬剤噴射装置２００は、ケース２１０、圧縮ガスゲート２２０、ガス容器収容部２３０およびディスペンシングユニット２６０を含む。
【０１１６】
ケース２１０の内部には圧縮ガスゲート２２０が備えられ、ケース２１０の一側に圧縮ガス収容部２３０、他側にディスペンシングユニット２６０が形成され、圧縮ガスゲート２２０はディスペンシングユニット２６０と連結される。
【０１１７】
薬剤噴射装置２００の作動状態について説明すれば以下のとおりである。
【０１１８】
圧縮ガスゲート２２０は、圧縮ガスゲート２２０の内部に供給された圧縮ガスのディスペンシングユニット２６０に向かった供給有無を決定する。圧縮ガスゲート２２０がディスペンシングユニット２６０に圧縮ガスを供給すれば、ディスペンシングユニット２６０は圧縮ガスを薬剤容器２６３に供給する。供給された圧縮ガスによって内部圧力が高くなった薬剤容器２６３は薬剤と圧縮ガスを薬剤排出部２６４に排出する。
【０１１９】
圧縮ガス通路２２８は、上部でディスペンシングユニット２６０と連結される。ガス流入ピン２２１から供給された圧縮ガスは、圧縮ガス通路２２８を経てディスペンシングユニット２６０に供給される。
【０１２０】
押しボタン２２３は、ケース２１０の外部に露出し、片手でケース２１０の取っ手部２１１を握った時、指で押し易い位置に配置される。例えば、押しボタン２２３は、ケース２１０の取っ手部２１１の上部に配置される。
【０１２１】
ディスペンシングユニット２６０は、容器結合開口２６５、薬剤容器連結部２６１、第１連結路２６６、第２連結路２６８、回転調節装置２６２および薬剤排出部２６４を含む。
【０１２２】
容器結合開口２６５はケース２１０の内部に薬剤容器２６３の一部分が挿入されるようにケースの上部に向かって開口部を形成し、薬剤容器連結部２６１は挿入される薬剤容器ネック部２６３ａと連結される。
【０１２３】
圧縮ガスゲート２２０の圧縮ガス通路２２８から第１連結路２６６に圧縮ガスが供給されれば、第１連結路２６６は薬剤容器２６３の内部に圧縮ガスを供給する。圧縮ガスの供給により内部圧力が高くなった薬剤容器２６３は、薬剤と圧縮ガスを第２連結路２６８に排出する。第２連結路２６８は、供給された薬剤および圧縮ガスを薬剤排出部２６４に伝達する。
【０１２４】
第２実施形態の薬剤噴射装置２００は、回転調節装置２６２が排出される薬剤の量を調節することができる。回転調節装置２６２は、薬剤排出部２６４を囲む輪状に構成される。回転調節装置２６２は、外部圧力によって回転可能に構成され、回転に応じて薬剤排出部２６４の薬剤が通過できる断面積を変更させる構成を有する。使用者は、回転調節装置２６２を回転させることによって、排出される薬剤の量を調節することができる。
【０１２５】
薬剤排出部２６４は、第２連結路２６８から供給される薬剤および圧縮ガスを外部に排出させる。
【０１２６】
以上の説明は本発明の技術思想を例示的に説明したものに過ぎず、本発明が属する技術分野における通常の知識を有した者であれば、本発明の本質的な特性から逸脱しない範囲内で様々な修正、変更および置換が可能である。よって、本発明に開示された実施形態および添付された図面は本発明の技術思想を限定するためのものではなく説明するためのものであって、このような実施形態および添付された図面によって本発明の技術思想の範囲が限定されるものではない。本発明の保護範囲は下記の請求範囲によって解釈しなければならず、それと同等な範囲内にある全ての技術思想は本発明の権利範囲に含まれるものとして解釈しなければならない。
【符号の説明】
【０１２７】
１１０  ・・・ケース
１２０  ・・・圧縮ガスゲート
１２１  ・・・ガス流入ピン
１２２  ・・・流出防止シーリング
１２３  ・・・押しボタン
１２４  ・・・開閉ロッド
１３０  ・・・ガス容器収容部
１３２  ・・・収容部キャップ
１４０  ・・・圧縮ガス伝達部
１４４  ・・・伝達ホース
１５０  ・・・調節部
１５１  ・・・回転ダイヤル
１５２  ・・・調節カム
１５３  ・・・識別板
１５４  ・・・回転軸
１５７  ・・・調節ロッド
１６０  ・・・ディスペンシングユニット
１６２  ・・・ジョイント
１６４  ・・・薬剤容器連結部
１６６  ・・・コネクタ
２１０  ・・・ケース
２２３  ・・・押しボタン
２３０  ・・・ガス容器収容部
２３２  ・・・収容部キャップ
２６０  ・・・ディスペンシングユニット
２６２  ・・・回転調節装置
【図１】
2020520295.tif 000003
【図２】
2020520295.tif 000004
【図３】
2020520295.tif 000005
【図４】
2020520295.tif 000006
【図５】
2020520295.tif 000007
【図６ａ】
2020520295.tif 000008
【図６ｂ】
2020520295.tif 000009
【図６ｃ】
2020520295.tif 000010
【図６ｄ】
2020520295.tif 000011
【図７】
2020520295.tif 000012
【図８】
2020520295.tif 000013
【図９】
2020520295.tif 000014
【国際調査報告】
2020520295.tif 000015
2020520295.tif 000016